(57)【要約】  【課題】  従来の一体型の係止ピンでは中空材の途中でストッパーが突出して抜けなくなる問題点やストッパーが係止ピンと分離している分離型であると、作業や保管が面倒である課題があった。  【解決手段】  係止ピン１は、棒状部２とストッパー部３とを有し、棒状部２は棒状体に形成され、棒状部２の一端側にストッパー部３を設け、ストッパー部３は、棒状部２棒状方向に対して略直角方向に移動又は回動してストッパー３０の一部が棒状部２の径より出る。実施形態としてストッパー部３が、棒状部２棒状方向に対して直角方向に設けられたストッパー孔３１と、ストッパー孔３１の孔長以内の長さでかつ移動自在に設けてなるストッパー３０からなり、ストッパー全長が、ストッパー孔３１内に収まる状態から、棒状部２を略１８０度角回転させることにより、ストッパー３０が略直角方向に移動してストッパー３０の一部が棒状部２の径より出る。【選択図】  図５
2006045828.tif 000002
【特許請求の範囲】
【請求項１】
少なくとも棒状部とストッパー部とを有し、棒状部は棒状体に形成され、棒状部の一端側にストッパー部を設け、ストッパー部は、棒状部棒状方向に対して略直角方向に移動又は回動してストッパーの一部が棒状部の径より出るように構成したことを特徴とする係止ピン。
【請求項２】
ストッパー部が、棒状部棒状方向に対して直角方向に設けられたストッパー孔と、ストッパー孔の孔長以内の長さでかつ移動自在に設けてなるストッパーからなり、ストッパー全長が、ストッパー孔内に収まる状態から、棒状部を略１８０度角回転させることにより、ストッパーが略直角方向に移動してストッパーの一部が棒状部の径より出るように構成したことを特徴とする請求項１の係止ピン。
【請求項３】
ストッパー部が、棒状部棒状方向に対して直角方向に設けられたストッパー孔と、ストッパー孔の孔長以内の長さでかつ移動自在に設けてなるストッパーからなり、ストッパー孔は、径大孔部と径小孔部の二つ以上の孔径による段差を中間に有して棒状部を貫通し、径大孔部の棒状部表面近くに孔を径小にするストッパー係止突起を設け、ストッパーは、ストッパー孔の径大孔部側に径大棒部を位置させ、径小孔部の方に径小棒部を位置させてストッパー孔に移動自在に設けてなり、棒状部を略１８０度角回転させることにより、ストッパーが略直角方向に移動してストッパーの一部が棒状部の径より出るように構成した請求項１記載の係止ピン。
【請求項４】
ストッパー部が、棒状部の端部から棒状方向近傍まで径に亘って形成されたストッパー溝部と、ストッパー溝部に角度変更移動可能に設けられるストッパーとからなり、ストッパー溝部には棒状部棒状方向に並ぶ２つの突起を設け、ストッパーは、棒状部の径より長辺と短辺とを有する矩形状板状体からなり、ストッパー溝部の２つの突起に係合する係合溝を有し、係合溝は長辺に開口するとともにほぼ直角方向に曲がって長辺方向に終端を有する鈎状の溝であるとともに、ストッパーは、長辺方向を棒状部棒状方向へ向けての棒状部棒状方向への移動及び棒状部棒状方向に対して回転して長辺方向を棒状部棒状方向と略直角方向をなす方向へ移動し、ストッパーの一部が棒状部の径より出るように構成した請求項１に記載の係止ピン。
【請求項５】
ストッパー部が、棒状部の端部から棒状方向近傍まで径に亘って形成されたストッパー溝部と、ストッパー溝部に角度変更移動可能に設けられるストッパーとからなり、ストッパー溝部には棒状部棒状方向に並ぶ回動中心軸と係合孔を設け、ストッパーは、棒状部の径より長辺と短辺とを有する矩形状板状体からなり、ストッパー溝部の回動中心軸を中心に回動するとともに係合孔に係合する係合突起を有するとともに、長辺方向を棒状部棒状方向へ向けて係合突起を係合孔に係止可能であるとともに、棒状部棒状方向に対して回転して長辺方向を棒状部棒状方向と略直角方向をなす方向へ回動し、ストッパーの一部が棒状部の径より出るように構成した請求項１に記載の係止ピン。
【発明の詳細な説明】
【技術分野】
【０００１】
この発明は、建築現場等において使用する係止ピン、特に足場材などの中空材と他部材との係り止め使用に適した係止ピンに関する。
【背景技術】
【０００２】
建築現場等において、足場材等の中空材と他の部材を係合させ、互いに抜けないように係合状態を維持するために、相互の係止孔に係止ピンを挿入するようにして使用されていた。
【０００３】
図１７及び図１８に示すストッパーが棒状部と不離一体である従来技術１の係止ピンＰは、中空材Ｃ及び他部材の係止孔Ｈに挿入可能な棒状部の先端にバネにより直角三角状に突出するストッパーＳ１を有し、このストッパーＳ１は、挿入時にはその斜面辺を中空材Ｃの係止孔Ｈによって押されて凹み、先端が係止孔Ｈより出るとまたバネによって棒状体より突出して、中空材Ｃから係止ピンＰが、戻って抜けないように構成されていた。そして、図１７、図１８に示されるストッパーＳ１とは逆側にフランジ部がない形状の従来の係止ピンＰは、係止孔Ｈに挿入後ストッパーＳ１とは逆側端部を曲げる等して、係止孔Ｈよりどちら側からも引き抜けず確実に中空材と他部材を係止する構成であった。
【０００４】
また、図１９及び図２０に示すような従来技術２の係止ピンＰと分離されているスナップピンＳＰや割ピンをストッパーとして使用する構成のものも知られており、これらは中空材Ｃの径方向に設けた係止孔Ｈに係止ピンＰを差し込んだ後に、係止孔Ｈより突出した係止ピンの先端の孔ＳＰ３にスナップピンＳＰの直線部ＳＰ１を差し込んで  直線部Ｓ１と波形部ＳＰ２で中空材Ｗを挟み付け、係止ピンＰ全体が係止孔Ｈから抜けないようにしていた。
【０００５】
また、従来の係止ピンでは、ストッパー部とは逆端部側は止め部として形成する必要があるが、図１９、図２０のように最初に棒状部の径より径大なフランジ部を形成して止め部とする実施形態もあるが、また図１７、図１８のように棒状部がストレートなままの形状では、中空材Ｃの係止孔Ｈに係止後、その逆端部を曲げたり、また逆端部に孔がある場合その孔にワイヤー等を貫通させ縦枠に固定したりして止め部としていた。
【発明の開示】
【発明が解決しようとする課題】
【０００６】
しかし、従来技術１のようにストッパーＳ１が、バネによって突出する構造であると、中空材の途中でストッパーＳ１が突出するように作動すると、逆方向には抜けない状態になる。そのため再使用が難しく、再使用するためには他端の止め部として曲げた部分を真っ直ぐに戻して、ストッパーＳ１側の方向へ移動させ係止ピンＰ自体を中空材Ｃの係止孔Ｈから抜くしか方法がなかった。また、図１９、図２０と同様な形状でストッパーが棒状部と不離一体である係止ピンＰとしては、棒状部の先端の直角三角状に突出するストッパーが、バネによらないで突出する作用を有するものも知られていたが、そのような従来のストッパーは、１８０度回転させても自重で元に戻ることはなく、バネによるストッパーと同様、解体時など係止孔Ｈから抜く場合は、ストッパー方向へ引き抜いていた。
【０００７】
また、従来技術２のようにストッパーが、係止ピンＰとは分離しているスナップピンＳＰのような分離型であると、一々スナップピンＳＰを係止ピンＰの小さな孔ＳＰ３に挿入する必要があり、その作業が面倒である課題があった。更に、分離しているため保管が面倒であり、使用時に係止ピンＰかスナップピンＳＰのどちらかの数が足りなくなるなどの課題があった。
【課題を解決するための手段】
【０００８】
上記の課題を解決するために、少なくとも棒状部とストッパー部とを有し、棒状部は棒状体に形成され、棒状部の一端側にストッパー部を設け、ストッパー部は、棒状部棒状方向に対して略直角方向に移動又は回動してストッパーの一部が棒状部の径より出るように構成したことを特徴とする係止ピンを提案する。
【０００９】
また、上記０００８欄のストッパー部が、棒状部棒状方向に対して直角方向に設けられたストッパー孔と、ストッパー孔の孔長以内の長さでかつ移動自在に設けてなるストッパーからなり、ストッパー全長が、ストッパー孔内に収まる状態から、棒状部を略１８０度角回転させることにより、ストッパーが略直角方向に移動してストッパーの一部が棒状部の径より出るように構成した係止ピンを提案する。
【００１０】
更に、上記０００８欄のストッパー部が、棒状部棒状方向に対して直角方向に設けられたストッパー孔と、ストッパー孔の孔長以内の長さでかつ移動自在に設けてなるストッパーからなり、ストッパー孔は、径大孔部と径小孔部の二つ以上の孔径による段差を中間に有して棒状部を貫通し、径大孔部の棒状部表面近くに孔を径小にするストッパー係止突起を設け、ストッパーは、ストッパー孔の径大孔部側に径大棒部を位置させ、径小孔部の方に径小棒部を位置させてストッパー孔に移動自在に設けてなり、棒状部を略１８０度角回転させることにより、ストッパーが略直角方向に移動してストッパーの一部が棒状部の径より出るように構成した係止ピンを提案する。
【００１１】
更にまた、上記０００８欄のストッパー部が、棒状部の端部から棒状方向近傍まで径に亘って形成されたストッパー溝部と、ストッパー溝部に角度変更移動可能に設けられるストッパーとからなり、ストッパー溝部には棒状部棒状方向に並ぶ２つの突起を設け、ストッパーは、棒状部の径より長辺と短辺とを有する矩形状板状体からなり、ストッパー溝部の２つの突起に係合する係合溝を有し、係合溝は長辺に開口するとともにほぼ直角方向に曲がって長辺方向に終端を有する鈎状の溝であるとともに、ストッパーは、長辺方向を棒状部棒状方向へ向けての棒状部棒状方向への移動及び棒状部棒状方向に対して回転して長辺方向を棒状部棒状方向と略直角方向をなす方向へ移動し、ストッパーの一部が棒状部の径より出るように構成した係止ピンを提案する。
【００１２】
また、上記０００８欄のストッパー部が、棒状部の端部から棒状方向近傍まで径に亘って形成されたストッパー溝部と、ストッパー溝部に角度変更移動可能に設けられるストッパーとからなり、ストッパー溝部には棒状部棒状方向に並ぶ回動中心軸と係合孔を設け、ストッパーは、棒状部の径より長辺と短辺とを有する矩形状板状体からなり、ストッパー溝部の回動中心軸を中心に回動するとともに係合孔に係合する係合突起を有するとともに、長辺方向を棒状部棒状方向へ向けて係合突起を係合孔に係止可能であるとともに、棒状部棒状方向に対して回転して長辺方向を棒状部棒状方向と略直角方向をなす方向へ回動し、ストッパーの一部が棒状部の径より出るように構成した係止ピンを提案する。
【発明の効果】
【００１３】
この発明によれば、係止ピンにストッパー部が付属して一体化しているとともに、棒状部棒状方向に対して略直角方向に移動又は回動してストッパーの一部が棒状部の径より出るように構成されているため、中空材の係合等における係止ピンの挿入、係止、引き抜きなどの作業が行いやすく、また、分離しないため保管や移動などの作業が容易にできるという効果がある。更に、係止ピンのストッパーと逆側にフランジ等の止め部を予め形成しておけば、解体時等に係止ピンにをストッパーとは逆側に容易に引き抜くことができ、係止ピンを曲げたり直したりして傷めずに繰り返しの使用が可能である。
【００１４】
更に、請求項２及び請求項３に係る発明では、係止ピンを約１８０度角回転させることだけで容易にストッパーを係止ピンの径より出し入れができ、かつストッパーの突出状態及びストッパー孔内への収納状態が非常に安定しており、かつ容易に視認可能であるため、中空材と他部材との係合等における係止ピンの挿入作業、係止作業、引き抜き作業が非常に容易に行うことができる効果がある。
【発明を実施するための最良の形態】
【００１５】
次にこの発明について説明する。この発明の係止ピン１は、棒状部２と、ストッパー部３と、止め部４とからなる。係止ピン１の棒状部２は棒状体に形成され、棒状部２の一端側にストッパー部３を設け、ストッパー部３は、棒状部２の棒状方向に対して略直角方向に移動又は回動するストッパー３０を有しており、ストッパー３０の一部が棒状部２の径より出るように構成される。棒状部２のストッパー部３の逆端側に止め部４を形成している。
【００１６】
図１乃至図６は、この発明の第１実施形態の一つである係止ピン１ａを示す。図１、図４は、平面を示し、図２、図５は、それぞれ図１，図４の正面断面説明図である。また、図３は図２の矢視Ａ、図６は、図５の矢視Ｂを示す側面図である。
【００１７】
この発明の第１実施形態を示す係止ピン１ａは、棒状部２ａと、ストッパー部３ａと、止め部４ａとからなる。係止ピン１ａの棒状部２ａは棒状体に形成され、棒状部２ａの一端側にストッパー部３ａを設けている。棒状部２ａは、一定の径を有する円柱状棒であり、他端側にフランジ状の止め部４ａを連続一体的に設けている。
【００１８】
止め部４ａは、一定の厚さと棒状部２ａの径より大きく、少なくとも対象となる中空材Ｃの係止孔Ｈの径より大きい径を有するフランジ部であり、ストッパー部３ａとは逆側の棒状部２ａ端部に一体的に形成されている。止め部４ａのフランジ円板周面部の１個所に基準部４０を設ける。基準部４０の周面部の位置は、後述するストッパー孔３１の開口部のいずれかと、棒状部及びフランジ部の周方向において位相角度が同一の位置に設けられる。この実施形態では、基準部４０の位置は、ストッパー孔３１の径大孔部３１０の開口部と、同じ位相位置に設けられている。基準部４０は、この実施例では深さのある孔からなるが、突起物、色別印など止め部４ａの他部と識別可能な印であればよい。
【００１９】
ストッパー部３ａは、棒状部２ａの棒状方向に対して直角方向に設けられたストッパー孔３１と、ストッパー孔３１の孔長以内の長さでかつ移動自在に設けてなるストッパー３０からなる。ストッパー３０の全長は、ストッパー孔３１の中、すなわち棒状部２ａの直径の長さ以内の長さであり、ストッパー孔３１内に収まる。ストッパー３０は、ストッパー孔３１内に収まった状態（図２、図３参照）から、棒状部２ａを棒状体の径中心を回転軸として略１８０度角回転させることにより、ストッパー３０が棒状部２ａの略直角方向に移動してストッパー３０の一部が、ストッパー孔３１から突出して棒状部２ａの径より出る状態（図５、図６参照）となるように構成されている。
【００２０】
この第１実施形態のストッパー部３ａのストッパー孔３１は、径大孔部３１０と径小孔部３１１の二つの孔径の異なる孔を段差を中間に有して直線状に、かつ棒状部２ａの径方向に貫通して設けられている。ストッパー孔３１は、径大孔部３１０の開口部を径小にするストッパー係止突起３１２を開口部近傍に設けている。ストッパー係止突起３１２間の距離は、ストッパー２０の径大棒部３００の径より短く形成する。
【００２１】
ストッパー部３ａのストッパー３０は、ストッパー孔３１の径大孔部３１０側に径大棒部３００を位置させ、径小孔部３１１の方に径小棒部３０１を位置させてストッパー孔３１に移動自在に設けている。
【００２２】
ストッパー３０の径大棒部３００の外径は、ストッパー孔３１の径大孔部３１０の内径よりやや小さく形成するとともに、径小孔部３１１の内径より大きく形成する。ストッパー３０の径大棒部３００の長さは、ストッパー孔３１の径大孔部３１０の長さより短く形成する。この実施例では、径大棒部３００の長さは径大孔部３１０の長さの３倍以上の長さである。
【００２３】
ストッパー３０の径小棒部３０１の外径は、ストッパー孔３１の径小孔部３１１の内径よりやや小さく形成し、径小棒部３０１の長さは径小孔部３１０の長さより長く形成する。この実施例では、径小棒部３０１の長さは径小孔部３１０の長さの２倍以上の長さである。
【００２４】
ストッパー３０は、棒状部２ａを棒状体の径中心を回転軸として略１８０度角回転させることにより、ストッパー３０が棒状部２ａの略直角方向に移動してストッパー３０の一部が、ストッパー孔３１から突出して棒状部２ａの径より出るように構成されている。
【００２５】
次に、この発明の第１実施形態の係止ピン１ａの作用について説明する。図１乃至図３に示すように止め部４ａの基準部４０を下を向きに位置させると、ストッパー孔３１の径大孔部３１０の開口部は同じ位相角度位置に設けられているため、下向き状態になる。同様に図４乃至図６に示すように係止ピン１を１８０度角回転させ、止め部４ａの基準部４０を上を向きに位置させると、ストッパー孔３１の径大孔部３１０の開口部は上向き状態になる。
【００２６】
そして、図１乃至図３に示すように、ストッパー孔３１の径大孔部３１０の開口部が、下向き状態であると、ストッパー３０は、径大棒部３００が、ストッパー孔３１の径大孔部３１０の開口部にあるストッパー係止突起３１２に引っかかり下方に落下することなくストッパー３０全体がストッパー孔３１の中に位置して、棒状部２ａから突出しない。    
【００２７】
この状態で、作業者は、中空材Ｃの係止孔Ｈに挿入する。次に、係止ピン１ａの止め部４ａの基準部４０を見て、係止ピン１ａの棒状部２ａを棒状軸心を中心にして約１８０度角回転させると、ストッパー孔３１の径大孔部３１０の開口部は上向き状態になる。この状態では、ストッパー３０は、ストッパー孔３１の中で落下し、径大棒部３００が、径小孔部３１１と径大孔部３１０との段差に引っかかり、それ以上は落下しない。この状態では、図４乃至図６に示すように、ストッパー３０の径小棒部３０１は、径小孔部３１１の開口部より外に突出する。
【００２８】
このストッパー３０の径小棒部３０１の棒状部２ａ表面からの突出により、係止ピン１ａは、中空材Ｃの係止孔Ｈ内で引っ張っても係止孔Ｈから外れることはない。
【００２９】
次に、係止ピン１ａを中空材Ｃの係止孔Ｈから取り外す場合は、再び作業者は、係止ピン１ａの止め部４ａの基準部４０を見て、係止ピン１ａの棒状部２ａを棒状軸心を中心にして約１８０度角回転させると、ストッパー孔３１の径大孔部３１０の開口部は下向き状態、すなわち図１乃至図３に示す状態となり、この状態では、ストッパー３０は、ストッパー孔３１内に収納され棒状部２ａの表面から突出しない。作業者は、この状態で係止ピン１ａを係止孔Ｈから引き抜いて取り外す。
【００３０】
次に図７乃至図１１は、この発明の第２実施形態の一つである係止ピン１ｂを示す。図７は、平面を示し、図８乃至図１１は、正面断面説明図であり、ストッパーの作動状態を示す。
【００３１】
この発明の第２実施形態を示す係止ピン１ｂは、棒状部２ｂと、ストッパー部３ｂと、止め部４ｂとからなる。係止ピン１ｂの棒状部２ｂは棒状体に形成され、一端側にストッパー部３ｂを設けている。棒状部２ｂは、一定の径を有する円柱状棒であり、ストッパー部３ｂの逆端側に止め部４ｂを設けている。この実施例では止め部４ｂは、止め孔であり、挿入後ワイヤーなどを挿入するか、端部を曲げて抜けなくして止め部とする。また止め部４ｂの別の実施例としてはフランジ部を形成して止め部としてもよい。
【００３２】
この発明の第２実施形態を示す係止ピン１ｂのストッパー部３ｂは、ストッパー溝部５と、ストッパー溝部５に角度変更移動可能に設けられるストッパー６とからなる。
【００３３】
ストッパー溝部５は、棒状部２ｂの端部から棒状方向の端部近傍まで棒の径方向に亘って形成された幅数ミリ程度の溝である。ストッパー溝部５には、棒状部２ｂの棒状方向に並ぶ２つの突起５０、５１を設け、この突起５０、５１にストッパー６を回動可能に係止する。
【００３４】
ストッパー６は、棒状部２ｂの径より長い長辺と、短い短辺とを有する矩形状板状体からなり、ストッパー溝部５の２つの突起５０、５１に移動及び回動可能に係合する係合溝６０を有する。この係合溝６０は、長辺に開口部６０ａを形成するとともにほぼ直角方向に曲がって長辺方向に終端を有する鈎状の溝に形成される。ストッパー６は、係合溝６０を挟んで短い短片部６１と曲がった曲片部６２に分かれる。
【００３５】
次に、この発明の第２実施形態の係止ピン１ｂの作用について説明する。図８は、係止ピン１ｂを中空材Ｃの係止孔Ｈに挿入した状態である。この図８の状態では係合溝６０の開口部６０ａは上を向いており、短片部６１が、突起５０、５１の上に係止されストッパー６の長辺が棒状部２ｂの棒方向と平行な状態であるので、ストッパー６全体が棒状部２ｂの径方向に突出していない。したがって、中空材Ｃの係止孔Ｈに挿入、取り出しが可能である。
【００３６】
係止ピン１ｂは、中空材Ｃの係止孔Ｈに挿入後、図８の矢視方向に、すなわちストッパー６を係止ピン挿入方向へ移動させ、図９及び図１０に示すように短片部６１を回転させつつ、二つの突起５０、５１の間に入れる。そして図１１に示すように、ストッパー６を約９０度角回転後、ストッパー６を矢視方向である下方向へ落下させ、棒状部２ｂの端部側の突起５０に係合溝６０を奥まで挿入させる。するとストッパー６は、棒状部２ｂの径より長い長辺が、棒状部２ｂの径方向に向くので、棒状部２ｂの径よりストッパー６の一部が突出する。したがって図１１に示すストッパー６の状態では、係止ピン１ｂは、係止孔Ｈから抜き取ることはできない。
【００３７】
係止ピン１ｂを中空材Ｃの係止孔Ｈから抜き取る場合は、ストッパー６を図１１から図１０、図９と逆に動かし、棒状部２ｂの径より長い長辺が、棒状部２ｂの棒方向に向くように回転させ、図８の状態に戻す。この状態では、中空材Ｃの係止孔Ｈに挿入、取り出しが可能となる。
【００３８】
次に、この発明の第３実施形態の１つである係止ピン１ｃを図１２乃至図１６に示す。図１２及び図１３は平面を示し、図１４乃至図１６は、正面断面説明図であり、ストッパーの作動状態を示す。
【００３９】
この発明の第３実施形態を示す係止ピン１ｃは、棒状部２ｃと、ストッパー部３ｃと、止め部４ｃとからなる。係止ピン１ｃの棒状部２ｃは棒状体に形成され、棒状部２ｃの一端側にストッパー部３ｃを設けている。棒状部２ｃは、一定の径を有する円柱状棒であり、ストッパー部３ｃの逆端側に止め部４ｃを設けている。この実施例では止め部４ｃは、真っ直ぐな棒状体のままであり、中空材Ｃの係止孔Ｈの棒状部２ｃ挿入後、曲げて止め部とする形状であるが、別の実施例としてはフランジ部を形成して止め部としてもよく、又止め孔を形成してもよい。
【００４０】
この発明の第３実施形態を示す係止ピン１ｃのストッパー部３ｃは、棒状部２ｃの端部から棒状方向に端部近傍まで径に亘って形成されたストッパー溝部７と、ストッパー溝部７に角度変更移動可能に設けられるストッパー８とからなる。ストッパー８は、棒状部２ｃの径より長辺と短辺とを有する矩形状板状体からなり、その厚さは、ストッパー溝部７の幅よりやや間隔を開けて薄い板状体である。
【００４１】
ストッパー溝部７には、棒状部２ｃの棒状方向に並ぶ回動中心軸７０と係合孔７１を設ている。ストッパー８は、ストッパー溝部７の回動中心軸７０を中心に回動するとともに係合孔７１に係合する係合突起８０を有する。この係合突起８０は、球状で出没可能である。またストッパー溝７の回動中心軸７０にはバネ７２が設けられ、ストッパー８を係合孔７１側へバネの付勢力で押圧している。
【００４２】
ストッパー８は、長辺方向を棒状部棒状方向へ向けて係合突起８０がストッパー溝７の係合孔７１に係止可能であるので、ストッパー８は、この係止した状態で棒状部２ｃの径方向には突出していない。そして、ストッパー８を棒状部棒状体方向から径方向へ回転させる場合は、図１２から図１３へ回転中心軸７０を中心にストッパー８をストッパー溝７内で係止突起８０を係止孔７１から外す方向に捻る。図１３示すように係止突起８０が係止孔７１から外されると、ストッパー８は、回動中心軸７０を中心に回動可能状態になる。次に、ストッパー８を回動中心軸７０を中心に棒状部棒状方向に対して回動して長辺方向を棒状部棒状方向と略直角方向をなす状態にする。この作動は図１４乃至図１６に示される。図１６の状態では、ストッパー８は、棒状部棒状体方向とは、ほぼ直角状態になり、ストッパー８の一部が棒状部２ｃの径より出ており、更に係合突起８０も棒状部２ｃの径より出ており棒状部２ｃに当接するため元に戻りにくい状態を作っている。このようにストッパー８が、棒状部２ｃと直角状態になることにより、第３実施形態の係止ピン１ｃは、中空材Ｃの係止孔Ｈに係合される。
【００４３】
また、この係止ピン１ｃを係止孔Ｈから離脱させるときは、逆に作動させればよい。すなわち、ストッパー８を棒状部棒状方向に対して直角状態から回動させつつ係止突起８０を溝端部となるべく接しないように回転中心軸７０を中心にストッパー８をストッパー溝７内で捻る。そしてストッパー８が棒状部棒状方向と平行状態になりストッパー溝７内に入り込む。この状態で作業者が手を放すと、ストッパー８の係合突起８０が、バネ７２の付勢力で係合孔７１側へ押されるので係合突起８０は、係合孔７１に係合した状態になる。この状態で、係止ピン１ｃは、中空材Ｃの係止孔Ｈに挿入、取り出しが可能となる。
【産業上の利用可能性】
【００４４】
建築現場等の足場材などの部材同士の孔に挿入して係止する係止ピンとして利用可能性が高い。特に少なくとも一方が中空材等の係止用ピンに使用して利用される可能性が高い。
【図面の簡単な説明】
【００４５】
【図１】この発明の第１実施形態の一つである係止ピンの平面図
【図２】同じくこの発明の第１実施形態の一つである係止ピンの正面断面説明図
【図３】同じく図２の矢視Ａ図
【図４】この発明の第１実施形態の一つである係止ピンの平面図
【図５】同じくこの発明の第１実施形態の一つである係止ピンの正面断面説明図
【図６】同じく図５の矢視Ｂ図
【図７】この発明の第２実施形態の一つである係止ピンの平面図
【図８】同じくこの発明の第２実施形態の一つである係止ピンの正面断面説明図
【図９】同じくこの発明の第２実施形態の一つである係止ピンの正面断面説明図
【図１０】同じくこの発明の第２実施形態の一つである係止ピンの正面断面説明図
【図１１】同じくこの発明の第２実施形態の一つである係止ピンの正面断面説明図
【図１２】この発明の第３実施形態の一つである係止ピンの平面図
【図１３】同じくこの発明の第３実施形態の一つである係止ピンの平面図
【図１４】同じくこの発明の第３実施形態の一つである係止ピンの正面断面説明図
【図１５】同じくこの発明の第３実施形態の一つである係止ピンの正面断面説明図
【図１６】同じくこの発明の第３実施形態の一つである係止ピンの正面断面説明図
【図１７】係止ピンの第１従来技術を示す正面説明図
【図１８】係止ピンの第１従来技術を示す正面説明図
【図１９】係止ピンの第２従来技術を示す正面説明図
【図２０】係止ピンの第２従来技術を示す側面説明図
【符号の説明】
【００４６】
１  係止ピン
２  棒状部
３  ストッパー部
３０  ストッパー
４  止め部
１ａ  係止ピン（第１実施形態）
２ａ  棒状部（第１実施形態）
３ａ  ストッパー部（第１実施形態）
３０  ストッパー
３００  径大棒部
３０１  径小棒部
３１  ストッパー孔
３１０  径大孔部
３１１  径小孔部
３１２  ストッパー係止突起
４ａ  止め部（第１実施形態）
４０  基準部
１ｂ  係止ピン（第２実施形態）
２ｂ  棒状部（第２実施形態）
３ｂ  ストッパー部（第２実施形態）
４ｂ  止め部（第２実施形態）
５  ストッパー溝
５０  突起
５１  突起
６  ストッパー
６０  係合溝
６０ａ  溝の開口部
６１  短片部
６２  曲片部
１ｃ  係止ピン（第３実施形態）
２ｃ  棒状部（第３実施形態）
３ｃ  ストッパー部（第３実施形態）
４ｃ  止め部（第３実施形態）
７  ストッパー溝
７０  回動中心軸
７１  係合孔
７２  バネ
８  ストッパー
８０  係合突起
【図１】
2006045828.tif 000003
【図２】
2006045828.tif 000004
【図３】
2006045828.tif 000005
【図４】
2006045828.tif 000006
【図５】
2006045828.tif 000007
【図６】
2006045828.tif 000008
【図７】
2006045828.tif 000009
【図８】
2006045828.tif 000010
【図９】
2006045828.tif 000011
【図１０】
2006045828.tif 000012
【図１１】
2006045828.tif 000013
【図１２】
2006045828.tif 000014
【図１３】
2006045828.tif 000015
【図１４】
2006045828.tif 000016
【図１５】
2006045828.tif 000017
【図１６】
2006045828.tif 000018
【図１７】
2006045828.tif 000019
【図１８】
2006045828.tif 000020
【図１９】
2006045828.tif 000021
【図２０】
2006045828.tif 000022